(57)【要約】【課題】汚れた内視鏡の収容に使用された後に、汚染物質を全て洗い流して清潔な状態にすることができる衛生的な内視鏡用キャリングケースを提供すること。【解決手段】内視鏡を収納して運搬するために、上下両ケース１ａ，１ｂがスーツケース状にヒンジ部４を中心に開閉自在に連結されると共に、耐薬品性の高い無孔の合成樹脂材によって両ケース１ａ，１ｂとは別体に形成された内枠２ａ，２ｂが両ケース１ａ，１ｂ内に各々収容されて、各内枠２ａ，２ｂには、内視鏡が急な折れ曲がりのない状態に嵌め込まれる収容溝５が形成された内視鏡用キャリングケースにおいて、上ケース１ｂ内の内枠２ｂと下ケース１ａ内の内枠２ａとが、ヒンジ部４で一体に連結された状態に形成されて両ケース１ａ，１ｂに対し着脱できるように設けられている。【選択図】      図５
2008086809.tif 000002
【特許請求の範囲】
【請求項１】
内視鏡を収納して運搬するために、上下両ケースがスーツケース状にヒンジ部を中心に開閉自在に連結されると共に、耐薬品性の高い無孔の合成樹脂材によって上記両ケースとは別体に形成された内枠が上記両ケース内に各々収容されて、上記各内枠には、内視鏡が急な折れ曲がりのない状態に嵌め込まれる収容溝が形成された内視鏡用キャリングケースにおいて、
上記上ケース内の内枠と上記下ケース内の内枠とが、ヒンジ部で一体に連結された状態に形成されて上記両ケースに対し着脱できるように設けられていることを特徴とする内視鏡用キャリングケース。
【請求項２】
上記収容溝の底面に通液孔が穿設されている請求項１記載の内視鏡用キャリングケース。
【発明の詳細な説明】
【技術分野】
【０００１】
この発明は、内視鏡を収納して運搬するための内視鏡用キャリングケースに関する。
【背景技術】
【０００２】
内視鏡用キャリングケースの多くは、病院の内視鏡検査室に保管されて必要に応じてそこで使用される。
しかし近年は、在宅医療の普及と内視鏡技術の進歩等によって、往診の際に内視鏡検査を行うことができるようになっており、往診検査を行う場合には、内視鏡をキャリングケースに収納して往診先に運搬し、検査が終わって汚れた状態の内視鏡を再びキャリングケースに収納して持ち帰っている。
【０００３】
そのような往診検査の際に内視鏡を運搬するために用いられるキャリングケースは、一般に、ケースが把手のついた開閉自在なスーツケース状に形成されている。
そしてケース内には、弾力性を付与するための無数の微細な連続孔を有する発泡プラスチック材で形成された図７に示されるような内枠１１に、内視鏡が急な折れ曲がりのない状態に嵌め込まれる収容溝１２が形成されている。
【発明の開示】
【発明が解決しようとする課題】
【０００４】
しかし、上述のように無数の微細な連続孔を有する内枠に使用後の汚れた内視鏡を収納すると、内枠の微細孔内に汚染物質が入り込んで、洗浄しても全ての汚染物質を取り除くことはできなくなり、次に収容される清潔な内視鏡を汚染してしまう恐れがある。
【０００５】
そこで本発明は、汚れた内視鏡の収容に使用された後に、汚染物質を全て洗い流して清潔な状態にすることができる衛生的な内視鏡用キャリングケースを提供することを目的とする。
【課題を解決するための手段】
【０００６】
上記の目的を達成するため、本発明の内視鏡用キャリングケースは、内視鏡を収納して運搬するために、上下両ケースがスーツケース状にヒンジ部を中心に開閉自在に連結されると共に、耐薬品性の高い無孔の合成樹脂材によって両ケースとは別体に形成された内枠が両ケース内に各々収容されて、各内枠には、内視鏡が急な折れ曲がりのない状態に嵌め込まれる収容溝が形成された内視鏡用キャリングケースにおいて、上ケース内の内枠と下ケース内の内枠とが、ヒンジ部で一体に連結された状態に形成されて両ケースに対し着脱できるように設けられているものである。
【０００７】
なお、収容溝の底面に通液孔が穿設されていてもよい。
【発明の効果】
【０００８】
本発明によれば、内視鏡を嵌め込む収容溝が形成されてケース内に収容された内枠を耐薬品性の高い無孔の合成樹脂材によって形成したことにより、汚れた内視鏡の収容に使用された後に、内枠の表面に付着した汚染物質を全て洗い流して完全に清潔な状態にすることができ、また、使用後の汚れた内視鏡を収納した状態のまま内枠を両ケースから取り出して洗浄することができるので、洗浄に携わる人への感染も確実に防止することができる。
【発明を実施するための最良の形態】
【０００９】
図面を参照して本発明の実施の形態を説明する。
図２と図３は、本発明の参考例の内視鏡用キャリングケースが閉じられた状態の正面図と平面図であり、図４は内視鏡用キャリングケースが開かれた状態の平面図である。
【００１０】
内視鏡用キャリングケースは開閉自在なスーツケース状に形成されており、各々が長方形の開口容器状に形成されてヒンジ部４で繋がった下ケース１ａと上ケース１ｂとが、ヒンジ部４を中心に開閉自在に構成されて、運搬時に握るための把手３が下ケース１ａに取り付けられている。
【００１１】
下ケース１ａと上ケース１ｂには、下側内枠２ａと上側内枠２ｂが収容されている。ただしこの参考例の両内枠２ａ，２ｂは、Ｉ−Ｉ断面を示す図１に示されるように、下ケース１ａ及び上ケース１ｂと一体に形成されている。
【００１２】
具体的には、上下両ケース１ｂ，１ａと上下両内枠２ｂ，２ａとは例えばポリプロピレン等のような耐薬品性の高い（即ち、酸やアルカリに侵され難い）無孔の薄板状の合成樹脂材によって一体成形されており、上下各ケース１ｂ，１ａと上下各内枠２ｂ，２ａとの間は中空になっている。
【００１３】
図４及び図１に示されるように、上下両内枠２ｂ，２ａには、例えば可撓管状の挿入部を有する内視鏡及びその付属品類が急な折れ曲がりのない状態に嵌め込まれる収容溝５が形成されている。
【００１４】
したがって、内視鏡と付属品を収容溝５に嵌め込んで上下両ケース１ｂ，１ａを閉じることにより、内視鏡と付属品を収容した状態で運搬することができ、目的地で上下両ケース１ｂ，１ａを開いて、内視鏡と付属品を取り出すことができる。
【００１５】
上下両内枠２ｂ，２ａには、上下両ケース１ｂ，１ａが開かれてその表面が床面に面する状態に置かれたときに収容溝５内からケース１ａ，１ｂ外に側方に通じる通液溝６が形成されている。
【００１６】
このように構成された内視鏡用キャリングケースは、検査に使用された後の汚れた内視鏡を収納した後は、両ケース１ａ，１ｂを開いて内視鏡を取り出してから内枠２ａ，２ｂを洗浄することができる。
【００１７】
そして、内枠２ａ，２ｂは無孔材によって形成されているので、表面に付着した汚染物質を全て洗い流すことができ、また、耐薬品性が高いので、薬液による滅菌や消毒を十分に行って感染防止を確実にすることができる。通液溝６は、洗浄液等の排水に有効である。
【００１８】
図５及び図６は本発明の実施の形態を示している。図５にはケース１ａ，１ｂと内枠２ａ，２ｂが示されているが、そのうちのケース１ａ，１ｂは外観が示され、内枠２ａ，２ｂは図６におけるＶ−Ｖ断面が示されている。
【００１９】
この実施の形態においては、図５に示されるように、一体に形成された上下両ケース１ｂ，１ａと、一体に形成された上下両内枠２ｂ，２ａとが別体に形成されて、上下両内枠２ｂ，２ａが上下両ケース１ｂ，１ａ内に収容されるようになっている。
【００２０】
上下両内枠２ｂ，２ａの材質等は参考例と同じであり、把手３は内枠２ａ，２ｂと一体に成形されている。また、洗浄液等の排水のための通液孔７が、収容溝５の底面に穿設されている。
【００２１】
このように形成された内視鏡用キャリングケースは、使用後の汚れた内視鏡を収納した後は、内視鏡を収納した状態のまま内枠２ａ，２ｂを両ケース１ａ，１ｂから取り出して洗浄することができるので、洗浄に携わる人への感染も確実に防止することができる。
【００２２】
そして、内枠２ａ，２ｂは無孔材によって形成されているので表面に付着した汚染物質を全て洗い流すことができ、また耐薬品性が高いので、薬液による滅菌や消毒を十分に行って感染防止を確実にすることができる。
【図面の簡単な説明】
【００２３】
【図１】本発明の参考例の内視鏡用キャリングケースの図４におけるＩ−Ｉ断面図である。
【図２】本発明の参考例の内視鏡用キャリングケースの閉じた状態の正面図である。
【図３】本発明の参考例の内視鏡用キャリングケースの閉じた状態の平面図である。
【図４】本発明の参考例の内視鏡用キャリングケースの開いた状態の平面図である。
【図５】本発明の実施の形態の内視鏡用キャリングケースの開いた状態を分解して示す側面一部断面図である。
【図６】本発明の実施の形態の内枠の開いた状態の平面図である。
【図７】従来の内枠の平面図である。
【符号の説明】
【００２４】
１ａ，１ｂ  ケース
２ａ，２ｂ  内枠
３  把手
５  収容溝
６  通液溝
７  通液孔
【図１】
2008086809.tif 000003
【図２】
2008086809.tif 000004
【図３】
2008086809.tif 000005
【図４】
2008086809.tif 000006
【図５】
2008086809.tif 000007
【図６】
2008086809.tif 000008
【図７】
2008086809.tif 000009